(57)【特許請求の範囲】
【請求項１】
ロール状のガーゼが、巻軸と連続的に往復交差してガーゼを貫通する糸によって巻軸の方向に縫われており、かつその糸の両端が長さ１０ｃｍ乃至１００ｃｍの自由端であるか又は前記長さを有する自由端の先端が互いに結ばれていることを特徴とする、手術用、口腔用又は歯科用糸付きガーゼ。
【請求項２】
高分子吸水材を含むロール状のガーゼが、巻軸と連続的に往復交差してガーゼを貫通する糸によって巻軸の方向に縫われており、かつその糸の両端が長さ１０ｃｍ乃至１００ｃｍの自由端であるか又は前記長さを有する自由端の先端が互いに結ばれていることを特徴とする、手術用、口腔用又は歯科用糸付きガーゼ。
【請求項３】
円形若しくは楕円形のロール状に巻かれた１０乃至２００ｍｍ×５０乃至６００ｍｍのガーゼが、巻軸と連続的に往復交差してガーゼを貫通する糸によって巻軸の方向に縫われており、かつその糸の両端が長さ１０ｃｍ乃至１００ｃｍの自由端であるか又は前記長さを有する自由端の先端が互いに結ばれていることを特徴とする、手術用、口腔用又は歯科用糸付きガーゼ。
【請求項４】
円形若しくは楕円形のロール状に巻かれた高分子吸水材を含む１０乃至２００ｍｍ×５０乃至６００ｍｍのガーゼが、巻軸と連続的に往復交差してガーゼを貫通する糸によって巻軸の方向に縫われており、かつその糸の両端が長さ１０ｃｍ乃至１００ｃｍの自由端であるか又は前記長さを有する自由端の先端が互いに結ばれていることを特徴とする、手術用、口腔用又は歯科用糸付きガーゼ。
【請求項５】
円形若しくは楕円形のロール状に巻かれたシート若しくは繊維状の高分子吸水材を含む１０乃至２００ｍｍ×５０乃至６００ｍｍのガーゼが、巻軸と連続的に往復交差してガーゼを貫通する糸によって巻軸の方向に縫われており、かつその糸の両端が長さ１０ｃｍ乃至１００ｃｍの自由端であるか又は前記長さを有する自由端の先端が互いに結ばれていることを特徴とする、手術用、口腔用又は歯科用糸付きガーゼ。
【発明の詳細な説明】
【技術分野】
【０００１】
本発明は、手術、口腔、歯科等の用いる医療用糸付きガーゼに関する。
【背景技術】
【０００２】
外科手術では、出血した血液を吸収させるためガーゼが使用されるが、血液を吸収したガーゼが見分けにくいため、術後、体内に残されてしまう場合がある。例えば、特許文献１、特許文献２、特許文献３では術後、体内に残されるのを防ぐためのＸ線造影繊維を含む医療用ガーゼが開発されている。又、特許文献４では鏡視下手術を施行際の挿入しやすいガーゼが記述されている。
【特許文献１】特開２００３−０９３４３２
【特許文献２】特開２００３−０９６２４８
【特許文献３】特開２００５−００８９９１
【特許文献４】特開２００５−２９６５６２
【０００３】
歯科や口腔内の出血や唾液、体液等の除去にもガーゼ、脱脂綿等が用いられているが、幼児、小児、高齢者の患者では誤飲して、喉に詰まらせたりする危険がある。このような医療用の問題を解決する安全で挿入も容易で、取り除くのも容易なガーゼはない。
【発明の概要】
【発明が解決しようとする課題】
【０００４】
手術、口腔、歯科の止血や貯留液の除去に安全で挿入し易く、吸水性に優れ、且つ取り除き易いガーゼ。
【課題を解決するための手段】
【０００５】
以上の課題を解決するために開発した医療用糸付きガーゼは、
１．ロール状のガーゼ中央を糸で縫って固定しその糸の両端が伸びていることを特徴とする医療用糸付きガーゼである。
２．高分子吸水材を含むロール状のガーゼ中央を糸で縫って固定しその糸の両端が伸びていることを特徴とする医療用糸付きガーゼである。
３．１０乃至２００ｍｍ×５０乃至６００ｍｍのガーゼを円形若しくは楕円形のロール状に巻き、ガーゼ中央を糸で縫って固定しその糸の両端が１０ｃｍ乃至１００ｃｍ伸びていることを特徴とする医療用糸付きガーゼである。
４．高分子吸水材を含む１０乃至２００ｍｍ×５０乃至６００ｍｍのガーゼを円形若しくは楕円形のロール状に巻き、ガーゼ中央を糸で縫って固定しその糸の両端が１０ｃｍ乃至１００ｃｍ伸びていることを特徴とする医療用糸付きガーゼである。
５．シート若しくは繊維状の高分子吸水材を含む１０乃至２００ｍｍ×５０乃至６００ｍｍのガーゼを円形若しくは楕円形のロール状に巻き、ガーゼ中央を糸で縫って固定しその糸の両端が１０ｃｍ乃至１００ｃｍ伸びていることを特徴する医療用糸付きガーゼである。
【発明の効果】
【０００６】
本発明によれば、ロール状にしたガーゼの中央を糸で縫って固定することによって挿入が容易になり、端から伸びた糸によって置き忘れ、誤飲を防止し、取り出しを容易にする。更に高分子吸水材に導入することによって、更に吸収性、保水性を高める。
【図面の簡単な説明】
【０００７】
以下、本発明の実施の工程を図１〜５により説明する。
【図１】ガーゼから円形のロール状ガーゼにして中央部をミシン縫いした医療用糸付きガーゼの製造工程。
【図２】ガーゼから楕円形のロール状ガーゼにして中央部をミシン縫いした医療用糸付きガーゼの製造工程。
【図３】図１及び図２における末端の2本の糸が束ねられた医療用糸付きガーゼ。
【図４】図１及び図２における末端の2本の糸が結ばれた医療用糸付きガーゼ。
【発明を実施するための形態】
【０００８】
本発明における医療用糸付きガーゼとは、出血の抑制、液の吸収、又は汚染からの器官の保護のため、手術、口腔、歯科等に適用することを目的とする主としてガーゼから成る器具をいいます。
【０００９】
本発明における糸とは、綿糸、絹糸、麻糸等の天然系繊維、ナイロン、レーヨン、ポリエステル、ポリプロピレン、ポリエチレン等の合成繊維が挙げられ、好ましくは綿糸、絹糸、ポリエステル繊維が挙げられるが、吸水性及び保水性に優れ、安全性が高くガーゼの材料として特に好適であることから、綿糸が挙げられる。
【００１０】
本発明における高分子吸水材とは、架橋構造を持つ親水性のポリマーで、自重の10倍以上の吸水力があり、圧力をかけても離水しにくいものをいいます。好適にはグラフト重合あるいはカルボキシメチル化によるデンプン系及びセルロース系、ポリアクリル酸塩系・ポリビニルアルコール系・ポリアクリルアミド系・ポリオキシエチレン系などの合成ポリマー系が挙げられ、特に好適にはポリアクリル酸ナトリウム系ＳＡＰ（Ｓｕｐｅｒａｂｓｏｒｂｅｎｔ  Ｐｏｌｙｍｅｒ：以下ＳＡＰ）が挙げられる。これらの高分子吸水材は粉末状、樹脂状、ビーズ状、シート状、繊維状のものが挙げられるが、好適には、樹脂状、シート状、繊維状のものが挙げられ、特に好適にはガーゼから漏れることのないシート若しくは繊維状のものである。これらの高分子吸収材は、漏れなければ、ガーゼに挟んでも、縫い付けても良い。
【００１１】
本発明に用いられるガーゼに特に制限はないが、特に医療現場で使用されている医療ガーゼが好適である。ガーゼの大きさは特に制限ははないが、好適には１０乃至２００ｍｍ×５０乃至６００ｍｍのガーゼを円形若しくは楕円形のロール状に巻き、ガーゼ中央を糸で縫って固定し、端から糸が伸びているガーゼであり、特に好適には１０乃至５０ｍｍ×１００乃至４００ｍｍのガーゼを円形若しくは楕円形のロール状に巻き、ガーゼ中央を糸で縫って固定し、端から糸が伸びているガーゼである。このような医療用糸付きガーゼは吸水性に優れ、挿入しやすく、糸は、誤飲を防止し、且つ取り出し易くするものである。
【００１２】
ガーゼを円形若しくは楕円形に巻くには、手巻き、１軸の細い棒に巻いたり、２軸の棒に楕円形に巻きこんでロール状にする方法があるが、円形若しくは楕円形であれば、特に制限はない。円形若しくは楕円形のロール状に巻かれたガーゼ中央を糸で縫って固定する方法は、手縫い、ミシン若しくは自動ソーイング機械で行われ、特に好適にはミシンで縫って固定する。端から伸びる糸の本数は、特に制限はないが、好適には縫い合わせ方により調節し、１往復しても、２往復しても、一方だけでもよく、糸は１本乃至２本であり、特に好適には２本である。端から伸びる糸の長さは特に制限はないが、成人、小児、乳幼児や使用する部位によって異なり、特に好適には１０ｃｍ乃至１００ｃｍである。２本の場合これらをよじり合わせてもループ状に結んでも良い。糸は必要に応じて、長さを調節でき、また、必要に応じて、末端に目印となる番号札やマーカー等を付けたり、紙テープ、粘着テープ、ビニルテープ等で器具に貼り付けたり、器具に結び付けても良い。
【実施例】
【００１３】
以下に実施例をあげて本発明を説明するが、これらに特に限定されない。
【実施例１】
【００１４】
３０ｍｍ×１５０ｍｍのガーゼを円形のロール状に巻き、ガーゼ中央を糸で縫って固定しその糸の両端が３０ｃｍ伸びている医療用糸付きガーゼの製造
３０ｍｍ×１５０ｍｍのガーゼ（医療ガーゼ）を手巻きで円形に巻き、綿糸で中央部をミシンで端から端まで１往復縫い合わせ、末端から２本の糸を３０ｃｍ残して糸を切って製造する。  図１に製造工程を示す。ｄ＝４ｍｍ、ｗ＝１０ｍｍ、ｌ＝３０ｍｍ、ｍ＝３０ｃｍの医療用糸付きガーゼが得られた。
【実施例２】
【００１５】
３０ｍｍ×２５０ｍｍのガーゼを円形のロール状に巻き、ガーゼ中央を糸で縫って固定しその糸の両端が３０ｃｍ伸びている医療用糸付きガーゼの製造
３０ｍｍ×２５０ｍｍのガーゼ（医療ガーゼ）を手巻きで円形に巻き、綿糸で中央部をミシンで端から端まで１往復縫い合わせ、末端から２本の糸を３０ｃｍ残して糸を切って製造する。  図１に製造工程を示す。ｄ＝６ｍｍ、ｗ＝１１ｍｍ、ｌ＝３０ｍｍ、ｍ＝３０ｃｍの医療用糸付きガーゼが得られた。
【実施例３】
【００１６】
３０ｍｍ×３００ｍｍのガーゼを円形のロール状に巻き、ガーゼ中央を糸で縫って固定しその糸の両端が３０ｃｍ伸びている医療用糸付きガーゼの製造
３０ｍｍ×３０ｍｍのガーゼ（医療ガーゼ）を手巻きで円形に巻き、綿糸で中央部をミシンで端から端まで１往復縫い合わせ、末端から２本の糸を３０ｃｍ残して糸を切って製造する。  図１に製造工程を示す。ｄ＝７ｍｍ、ｗ＝１２ｍｍ、ｌ＝３０ｍｍ、ｍ＝３０ｃｍの医療用糸付きガーゼが得られた。
【実施例４】
【００１７】
３０ｍｍ×２５０ｍｍのガーゼを楕円形のロール状に巻き、ガーゼ中央を糸で縫って固定しその糸の両端が３０ｃｍ伸びている医療用糸付きガーゼの製造
３０ｍｍ×２５０ｍｍのガーゼ（医療ガーゼ）を２軸（軸と軸の間、５ｍｍ）で楕円形に巻き、綿糸で中央部をミシンで端から端まで１往復縫い合わせ、末端から２本の糸を３０ｃｍ残して糸を切って製造する。  図２に製造工程を示す。ｄ＝６ｍｍ、ｗ＝１１ｍｍ、ｌ＝３０ｍｍ、ｍ＝３０ｃｍの医療用糸付きガーゼが得られた。
【実施例５】
【００１８】
３０ｍｍ×３００ｍｍのガーゼを楕円形のロール状に巻き、ガーゼ中央を糸で縫って固定しその糸の両端が１００ｃｍ伸びている医療用糸付きガーゼの製造
３０ｍｍ×３００ｍｍのガーゼ（医療ガーゼ）を２軸（軸と軸の間、６ｍｍ）で楕円形に巻き、綿糸で中央部をミシンで端から端まで１往復縫い合わせ、末端から２本の糸を１００ｃｍ残して糸を切って製造する。  図２に製造工程を示す。ｄ＝７ｍｍ、ｗ＝１２ｍｍ、ｌ＝３０ｍｍ、ｍ＝１００ｃｍの医療用糸付きガーゼが得られた。
【実施例６】
【００１９】
３０ｍｍ×１５０ｍｍのガーゼを円形のロール状に巻き、ガーゼ中央を糸で縫って固定しその糸の両端が３０ｃｍ伸びている医療用糸付きガーゼの製造
３０ｍｍ×１５０ｍｍのガーゼ（医療ガーゼ）を手巻きで円形に巻き、絹糸で中央部をミシンで端から端まで１往復縫い合わせ、末端から２本の糸を３０ｃｍ残して糸を切って製造する。  図１の製造工程と絹糸を使用する以外同様である。ｄ＝４ｍｍ、ｗ＝１０ｍｍ、ｌ＝３０ｍｍ、ｍ＝３０ｃｍの医療用糸付きガーゼが得られた。２本の糸は図３に示すように束ねられた。
【実施例７】
【００２０】
３０ｍｍ×２５０ｍｍのガーゼを円形のロール状に巻き、ガーゼ中央を糸で縫って固定しその糸の両端が３０ｃｍ伸びている医療用糸付きガーゼの製造
３０ｍｍ×２５０ｍｍのガーゼ（医療ガーゼ）を手巻きで円形に巻き、絹糸で中央部をミシンで端から端まで１往復縫い合わせ、末端から２本の糸を３０ｃｍ残して糸を切って製造する。  図１の製造工程と絹糸を使用する以外同様である。ｄ＝６ｍｍ、ｗ＝１１ｍｍ、ｌ＝３０ｍｍ、ｍ＝３０ｃｍの医療用糸付きガーゼが得られた。２本の糸は図４に示すように結ばれた。
【実施例８】
【００２１】
３０ｍｍ×２５０ｍｍのガーゼを円形のロール状に巻き、ガーゼ中央を糸で縫って固定しその糸の両端が３０ｃｍ伸びている医療用糸付きガーゼの製造
３０ｍｍ×２５０ｍｍのガーゼ（医療ガーゼ）を手巻きで円形に巻き、ポリエステル糸で中央部をミシンで端から端まで１往復縫い合わせ、末端から２本の糸を３０ｃｍ残して糸を切って製造する。  図１の製造工程とポリエステル糸を使用する以外同様である。ｄ＝６ｍｍ、ｗ＝１１ｍｍ、ｌ＝３０ｍｍ、ｍ＝３０ｃｍの医療用糸付きガーゼが得られた。
【実施例９】
【００２２】
３０ｍｍ×３００ｍｍのガーゼを円形のロール状に巻き、ガーゼ中央を糸で縫って固定しその糸の両端が３０ｃｍ伸びている医療用糸付きガーゼの製造
３０ｍｍ×３０ｍｍのガーゼ（医療ガーゼ）を手巻きで円形に巻き、ポリエステル糸  で中央部をミシンで端から端まで１往復縫い合わせ、末端から２本の糸を３０ｃｍ残して糸を切って製造する。  図１の製造工程とポリエステル糸を使用する以外は同様である。ｄ＝７ｍｍ、ｗ＝１２ｍｍ、ｌ＝３０ｍｍ、ｍ＝３０ｃｍの医療用糸付きガーゼが得られた。
【実施例１０】
【００２３】
超吸水性繊維含有の医療用糸付きガーゼの製造
３０ｍｍ×２５０ｍｍのガーゼ（医療ガーゼ）に超吸水性繊維（５１ｍｍ、ランシ−ルＦ、東洋紡）２本を巻き込む端から直線的に縫いつけた後、円形のロール状に巻き、綿糸で中央部をミシンで端から端まで１往復縫い合わせ、末端から２本の糸を３０ｃｍ残して糸を切って製造する。  図１の製造工程と超吸水性繊維を使用する以外同様である。ｄ＝６ｍｍ、ｗ＝１１ｍｍ、ｌ＝３０ｍｍ、ｍ＝３０ｃｍの超吸水性繊維含有の医療用糸付きガーゼが得られた。
【実施例１１】
【００２４】
超吸水性シート含有の医療用糸付きガーゼの製造
３０ｍｍ×２５０ｍｍのガーゼ（医療ガーゼ）に超吸水性シート巻き込む端から超吸水性シート（サイズ３０ｍｍ×４０ｍｍ、ランシールＦからなるシート、東洋紡）を縫いつけた後、円形のロール状に巻き、綿糸で中央部をミシンで端から端まで１往復縫い合わせ、末端から２本の糸を３０ｃｍ残して糸を切って製造する。  図１の製造工程と超吸水性繊維を使用する以外同様である。ｄ＝７ｍｍ、ｗ＝１２ｍｍ、ｌ＝３０ｍｍ、ｍ＝３０ｃｍの超吸水シート含有の医療用糸付きガーゼが得られた。
【符号の説明】
【００２５】
1  ガーゼの概観図。
2  ロール状のガーゼの外観図。
3  ロール状のガーゼがミシン縫いされた後の外観図
4  ２本の糸が伸びている外観図
5  楕円形のロール状にガーゼをするための２軸。
6  2本の糸が束ねられた概観図。
7  2本の糸が結ばれた概観図。
ｄ、ｗ、ｌ及びｍはそれぞれの長さを示す。
【００２６】
試験例１．吸水量試験
ＪＩＳ  Ｌ１９１２  6.12.3の吸水量試験方法に準じて実施例１〜３の用いたガーゼと市販品（白十字社製、ロール綿）と比較し、評価した。
方法：試験片（１００×１００ｍｍ）試験片を5個採取し、1個の試験片の重さが１ｇ未満の場合には1gになるまで試験片を重ねる。この試験片を０．０１ｇの精度を持つカバー付きこの試験片の重量を測定した。この試験片をステンレス金網の縁にクリップで止め、室温の水槽に水面下２０ｍｍに斜めに入れて気泡の出ないようにする。1分後に試験片と金網を取り出し、一端のクリップを残して他のクリップを外し、垂直に２分つるし、水分を切った後金網から試験片を外し、秤量ガラスにいれて重さをはかる。これを５回繰りかえし、平均値を算出した。実施例１で用いた試験片（３０×１５０ｍｍ）では２．４５ｇ、実施例２の試験片（３０×２５０ｍｍ）では４．０９ｇ、実施例３の試験片（３０×３００ｍｍ）では４．９１ｇの吸水量であった。ｇ当たりの吸水量はそれぞれ１１．１４ｇ、１１．０５ｇ、１１．４１ｇであり、ｇ当たりの吸水量は、市販品（白十字社製、ロール綿）の３．３６ｇに比べ優れていた。
【００２７】
試験例２．溶出試験
実施例１０および実施例１１の糸付きガーゼを生理食塩水に浸し、24時間後の溶出を調べたが、高分子吸水材の溶出は認められなかった。
【図１】
0005710963.tif 000002
【図２】
0005710963.tif 000003
【図３】
0005710963.tif 000004
【図４】
0005710963.tif 000005